(57)【要約】【課題】回路基板収納ケースの通風孔から針金を挿入することに起因したゴト行為を防止すること。【解決手段】基板収納ケース２５の所定領域Ａ２に形成された複数の通風孔２５３ａと、ケース内に設置され、複数の貫通孔２５９ａを有し、所定領域Ａ２に対向した位置に近接状態で配置される回転板２５９と、回転板駆動手段２５７と、基板上の電子部品や駆動手段２５７に電力を供給する主電源と、主電源が切れると作動して前記電子部品等に電力を供給する副電源と、副電源から供給される電力により駆動手段を作動させることで、回転板２５９をその貫通孔２５９ａが蓋体２５３のエリア２５３ｂに対向する位置で停止するように、回転板２５９の停止位置を制御する回転板停止位置制御手段とを有する。【選択図】図２
2008029526.tif 000002
【特許請求の範囲】
【請求項１】
所定条件が遊技実行中に揃うと遊技状態を遊技者に有利な状態とするプログラムを記憶した記憶媒体その他の電子部品を有する回路基板を収納する遊技機の基板収納ケースであって、
この基板収納ケースの所定領域に形成された複数の通風孔と、
前記基板収納ケース内に設置され、複数の貫通孔を有し、前記所定領域に対向した位置で当接又は近接した状態で配置される回転板と、
この回転板を回転駆動する駆動手段と、
前記電子部品や駆動手段を作動するためにそれらに電力を供給する主電源と、
この主電源が切れると作動して前記電子部品や駆動手段に電力を供給する副電源と、
この副電源から供給される電力により前記駆動手段を作動させることで、前記回転板をその貫通孔が前記ケースの通風孔に対向しない所定の位置で停止するように、当該回転板の停止位置を制御する回転板停止位置制御手段とを有する遊技機の基板収納ケース。
【請求項２】
前記回転板はその回転位置を検知するためのインデックスを有し、
前記回路基板には、このインデックスを検知するために前記回転板の回転に伴う当該インデックスの通過軌跡上にインデックス検知手段が設けられ、
前記副電源から電力が供給されて前記駆動手段により前記回転板が回転されたことに伴い、前記インデックス検知手段が、前記副電源からの電力の供給を受けた後、最初に前記インデックスを検知すると、前記インデックス検知手段は、前記回転板停止位置制御手段にインデックス検知信号を出力し、このインデックス検知信号を受信した前記回転板停止位置制御手段は、前記駆動手段により回転される前記回転板を前記所定の位置で停止させることを特徴とする請求項１に記載の遊技機の基板収納ケース。
【請求項３】
前記基板収納ケースの所定領域及び前記回転板は同一径及び同一形状であり、
前記所定領域が有する複数の通風孔の大きさ及び形成パターンと、
前記回転板が有する複数の貫通孔の大きさ及び形成パターンとが同じであることを特徴とする請求項１又は２に記載の遊技機の基板収納ケース。
【請求項４】
前記所定領域の通風孔は、前記回転板の貫通孔よりも小径であることを特徴とする請求項１又は２に記載の遊技機の基板収納ケース。
【発明の詳細な説明】
【技術分野】
【０００１】
本発明は、スロットマシン、パチンコ遊技機等、遊技者が遊技媒体を用いて遊技する遊技機に内蔵される遊技用の電子回路基板を収容する基板収納ケースに関する。
【背景技術】
【０００２】
パチンコ遊技機やパチンコスロットに代表されるように、遊技媒体を用いて遊技者が遊技する遊技機では、遊技実行中に所定条件を満たすと遊技者にとって有利な特別遊技状態（以下、大当たり）となり、遊技球やメダル等の遊技媒体を多量に獲得できる。
【０００３】
遊技媒体は、種々の景品と交換できるため、遊技者は大当たり獲得を目指す。大当たりになると、遊技機に組み込まれた可変表示装置に各種図柄の変動やキャラクターの出現により実行される様々な演出が表示される。
【０００４】
可変表示装置に表示される演出は、遊技機内部に実装された制御装置によって制御される。制御装置は、可変表示装置への演出の表示制御だけでなく、大当たりを引き当てるための大当たり抽選プログラムを実行する。大当たり抽選プログラムは、電子的制御に基づいて特定の乱数を引き当てた場合に大当たりとなるように設定されている。
【０００５】
また、遊技機には各種電飾やスピーカーが取り付けられており、制御装置は、これらの電飾を光らせたり、演出に合わせて鳴り響く効果音をスピーカーから出したりするといった制御も行う。
【０００６】
制御装置は、基本処理装置としてのＣＰＵ（Ｃｅｎｔｒａｌ  Ｐｒｏｃｅｓｓｉｎｇ  Ｕｎｉｔ）と、ＣＰＵでの処理に用いられるデータを一時記憶するＲＡＭ（Ｒａｎｄｏｍ
Ａｃｃｅｓｓ  Ｍｅｍｏｒｙ）と、ＣＰＵにて処理する前記大当たり抽選プログラムを含む各種プログラムその他のプログラムを記憶したＲＯＭ（Ｒｅａｄ  Ｏｎｌｙ  Ｍｅｍｏｒｙ）とが電子回路基板上に備えられてなるものである。
【０００７】
そして、ＣＰＵは、ＲＡＭに記憶されているデータやＲＯＭに記憶されているプログラムを必要に応じて読み出すことで、各種制御を実行する。遊技機を作動するのに必要なこれらＣＰＵ・ＲＡＭ・ＲＯＭその他の部品（以下、電子部品）が取り付けられている電子回路基板は、遊技機内部に取り付けられており、通常は遊技機の開閉蓋を開けないと触れることができない。
【０００８】
一方、大当たりの引き当て率は、各遊技機の内部に備えられている設定装置を操作することで、ホール側で変更することができる。設定装置は、遊技機における各種入賞毎の当選確率を、例えば、設定値１〜６までの６段階の如く複数の段階の何れかに設定する装置である。通常、設定値が大きいほど、当選確率を高められる。設定値は、前記ＲＡＭに記憶される。
【０００９】
また、設定値の変更（以下、設定変更という）は、機種にもよるが、遊技機の電源が落ちている状態で設定変更用のキーを入れ、その後電源を入れた状態で設定装置の操作ボタンを操作することにより行う。
【００１０】
当該設定変更は、遊技機本体の電源投入時にのみ行えるように構成されていることから、店舗の営業時間内に行われることはない。通常、次の営業日分の設定は、前日又は当日の入賞率の設定データ・店舗の全遊技機における当選確率の分布・遊技機を設置してから
の日数等を参考にして、閉店後、１台１台手作業で行われる。
【００１１】
ところで、大当たりすると、遊技球やメダル等の遊技媒体を多量に獲得できるため、いわゆる「ゴト師」と呼ばれる者の不正行為（いわゆるゴト行為）が後を絶たない。最近ではグループが組織立って悪業をするケースも増えており、不正行為により騙し取られる金額は、以前とは桁が違ってきている。
【００１２】
不正行為の主たるものとしては、ＲＯＭに記憶されているプログラムの改竄が挙げられる。当該不正行為を実行するために、開店中に店内の例えばトイレの換気穴から天井に上がって閉店を待ち、閉店後従業員が居なくなってからホール内に忍び込んだり、又は店員を抱き込んだりして、改竄されたプログラムを含むＲＯＭその他の電子部品と電子回路基板ごと交換し、翌日、当該電子回路基板に交換された遊技機でプレーをするという極めて悪質なものまであるという。
【００１３】
このような不正行為を防止するためと、電子回路基板に取り付けられている電子部品は発熱し、そのままであると当該電子部品に触れた作業者が火傷を負う危険性があるので、これを回避するために、電子部品は、回路基板ごと所定のケース（以下、基板収納ケースという）に収納されて遊技機本体に取り付けられる。
【００１４】
また、電子部品を正常に機能させるには、一定の温度範囲での使用が要求される。このため基板収納ケースには、通風孔が多数形成され、電子部品からの発熱により、基板収納ケース内が規定温度以上になることを防止する。
【００１５】
しかしこの通風孔が、不正行為に利用される可能性を孕んでいるという。すなわち遊技機にはスピーカーの出力孔など、遊技機の外部から内部に通じる通し孔が形成されており、ゴト師はこの通し孔から遊技機内部に針金その他の抵抗の小さな導線を入れ、基板収納ケースの通風孔を経由して、基板上の電気回路の二点間をこれら針金等で接続することで結線的にショートさせ、遊技機全体を電源投入直後の状態（または電源を一旦落として入れ直した状態）にする。
【００１６】
そして、その上で設定変更用の信号配線をショートさせて設定変更信号（多くは接点信号）を発生させることにより、電子部品に通常の設定値の変更操作がなされたものと錯誤させて設定値を不正に変更するという。
【００１７】
このような不正行為は、例えば監視カメラの前に立って監視者の視界を遮る者、見張り役となる者、不正行為の設定作業を行う者等、複数人で役割分担を決めて実行することで比較的容易になるため、開店中であっても実行されるケースが少なくない。
【００１８】
そして、一旦遊技機を高設定に変更してしまえば、外見上は普通にゲームを楽しんでいるようにしか見えないので、不正が行われたことを発見するのは困難である。したがって、ゲームが長時間継続して行われ、不正行為者にとっては、詐取できる金額が大きくなる。針金や導線を用いた不正行為は、天井裏に忍び込んだり、ホールの店員を抱え込んだりするよりもリスクを低減できるので、近年増加傾向にある。
【００１９】
その結果、不正行為による被害が店舗の経営上看過できない状態に及ぶケースも稀ではない。また、不正行為は当然に犯罪を形成するものであるから、このような不正行為の防止及び摘発のためには、かなりの支出及び労力を考慮しなければならない。
【特許文献１】特開平６−１５４３８９号公報
【発明の開示】
【発明が解決しようとする課題】
【００２０】
本発明は、上記実情に鑑みて発明されたものであり、その解決しようとする課題は、基板収納ケースに形成されている通風孔から針金などの導線を挿入することに起因したゴト行為を有効に防止することができる技術を提供することにある。
【課題を解決するための手段】
【００２１】
本発明は、前記課題を解決するため、以下の手段を採用した。
すなわち本発明は、所定条件が遊技実行中に揃うと遊技状態を遊技者に有利な状態とするプログラムを記憶した記憶媒体その他の電子部品を有する回路基板を収納する遊技機の基板収納ケースである。
【００２２】
そして、基板収納ケースは、その所定領域に形成された複数の通風孔と、前記基板収納ケース内に設置され、複数の貫通孔を有し、前記所定領域に対向した位置で当接又は近接した状態で配置される回転板と、この回転板を回転駆動する駆動手段と、前記電子部品や駆動手段を作動するためにそれらに電力を供給する主電源と、この主電源が切れると作動して前記電子部品や駆動手段に電力を供給する副電源と、この副電源から供給される電力により前記駆動手段を作動させることで、前記回転板をその貫通孔が前記ケースの通風孔に対向しない所定の位置で停止するように、当該回転板の停止位置を制御する回転板停止位置制御手段とを有する。
【００２３】
基板収納ケースの所定領域に形成された複数の通風孔経由で基板収納ケース内に入った外気は、回転板が回転し、当該回転板の貫通孔が前記通風孔に合うと、当該通風孔経由で基板収納ケース内に入った外気は、回転板の貫通孔を経由して基板収納ケースの奥にまで流れるようになる。よって、ケース内の温度の上昇を抑制することができる。
【００２４】
一方、万一、ゴト師が、針金その他の抵抗の小さな導線を、前記所定領域の通風孔内に至らしめることができたにせよ、回転板は、基板収納ケースの所定領域に対向状態で当接又は近接して配置され、その状態で回転駆動するから、回転状態にある回転板が有する貫通孔を経由させて、針金その他の抵抗の小さな導線を基板収納ケース内の回路基板上にまで至らしめることは不可能に近い。よって回路基板上の電気回路の二点間をこれら針金等で接続することにより結線的にショートさせることは極めて難しい。
【００２５】
そして、主電源が切れた場合でも副電源が作動して主電源の代わりに前記電子部品や駆動手段に電力を供給し、副電源から供給される電力により前記駆動手段、引いては当該駆動手段により回転板を回転させ、前記ケースの通風孔に対し前記回転板の貫通孔が対向しない所定の位置にまで回転板が至ると、回転板停止位置制御手段が回転板を停止するようになっている。
【００２６】
ケースの通風孔に対し前記回転板の貫通孔が対向しない所定の位置にまで回転板が至った場合、ケースの通風孔は、前記回転板のうち貫通孔が形成されていない部位（回転板の一部を構成する面）と対向するようになる。よってゴト師が、針金その他の抵抗の小さな導線を、基板収納ケースの通風孔内に至らしめることができたにせよ、その先方には回転板のうち貫通孔が形成されていない部位が位置するから、それ以上導線を進行させることができない。
【００２７】
また、回転板にインデックスを設け、前記回路基板には、このインデックスを検知するために前記回転板の回転に伴う当該インデックスの通過経路上のいずれかにインデックス検知手段を設け、前記副電源から電力が供給されて前記駆動手段により前記回転板が回転されたことに伴って、前記インデックス検知手段が、前記副電源からの電力の供給後、最初に前記インデックスを検知すると、前記インデックス検知手段は、前記回転板停止位置
制御手段にインデックス検知信号を出力し、このインデックス検知号を受信した前記回転板停止位置制御手段が、前記駆動手段により回転される前記回転板を前記所定の位置で停止させるようにすれば、回転板のうち貫通孔が形成されていない部位が前記ケースの通風孔に対向して位置するようになる。したがって、針金その他の抵抗の小さな導線を基板収納ケースの通風孔に至らしめることが万一できたにせよ、それ以上に導線を進行させることを有効に抑制する。
【００２８】
さらに、前記所定領域及び前記回転板は同一径及び同一形状とし、前記所定領域が有する複数の通風孔の大きさ及び形成パターンと、前記回転板が有する複数の貫通孔の大きさ及び形成パターンとを同じにすることで、回転板をケースの通風孔に対し前記回転板の貫通孔が対向しない所定の位置に停止させるための回転板の位置調整がし易くなる。
【００２９】
前記基板収納ケースの所定領域に形成された通風孔を前記回転板の貫通孔よりも小径にすると、針金や導線が通風孔内に入った場合、それらの動きの自由度は小さくなるため、回転板の貫通孔へ針金や導線を一層入れ難くなる。
【発明の効果】
【００３０】
したがって、本発明の基板収納ケースによれば、基板収納ケースに形成されている通風孔から針金などの導線を挿入することに起因したゴト行為を有効に防止することができる。
【発明を実施するための最良の形態】
【００３１】
以下、本発明に係る遊技機の基板収納ケースの実施形態を図面を参照しながら説明する。
【実施例１】
【００３２】
図１に示すように、遊技機であるパチンコスロット１０は、その筐体１１の前面に上扉１２ａと下扉１２ｂとを有する。各扉１２ａ，１２ｂは、それぞれ一対の扉ヒンジ１６，１６（図面では下扉１２ｂのヒンジ１６のみ示す。）により回動自在に取り付けられている。
【００３３】
この明細書で前とは、図１において遊技者がパチンコスロット１０に向き合った場合において、遊技者の手前側をいい、後ろとは同じく遊技者の向こう側をいい、上・下及び左・右は同じく遊技者の上側・下側及び左側・右側をいうことにする。
【００３４】
上扉１２ａには、３個の表示窓１３が設けられ、これらの窓を介して、筐体１１内に設けられるリールユニット２６の第１リール１４ａ、第２リール１４ｂ、第３リール１４ｃを見ることができる。各リールには多数の図柄が表示されている。一つの表示窓１３から１リールにつき３個の図柄を見ることができる。
【００３５】
そして、表示窓１３に記した図示しない所定の入賞有効ライン上で第１〜第３リールが所定図柄で揃うことにより、遊技者にとって有利な特別遊技状態である大当たりが発生する。なお、入賞有効ライン上で第１〜第３リールが所定図柄で揃うことを所定条件が揃ったということにする。
【００３６】
下扉１２ｂには、図示しない各種ボタン、例えばゲームの開始時に操作される１枚ベットボタン，ＭＡＸベットボタン，ペイアウトボタン，メダルを投入するためのメダル投入口，メダルベットが行われた後に操作される押下式スタートレバー，押下式スタートレバーの押下操作により回転し始めるリールの動作を停止させるための第１〜第３ストップボタン等が設けられている。また、下扉１２ｂの下部には、メダル受け皿，配当メダル払い
出し口，灰皿その他の収納部１７が設けられている。
【００３７】
また、図１からわかるように筐体１１には、電子回路基板２４が、基板収納ケース２５に収納された状態で、リールユニット２６よりも奥に取り付けられている。リールユニット２６は、支持枠２７により筐体１１の内壁に着脱自在に取り付けられる。
【００３８】
電子回路基板２４に既述したＲＯＭ，ＣＰＵ，ＲＡＭなどの図示しない各種電子部品が実装されることで、制御装置２３０が構築される。また、電子回路基板２４には、モータ通し孔２４１を有する（図３参照）。
【００３９】
基板収納ケース２５は、ＡＢＳ樹脂その他のポリスチレン系樹脂からできており、電子回路基板２４を収納する透明なケース本体２５１と、ケース本体２５１に対し回動可能に取り付けられる板状の蓋体２５３とからなる。そして、蓋体２５３を閉じたときに偏平な中空直方体形状を呈し、蓋体２５３を開けない限り、ケース内の電子部品に外部から接触することが通常はできない閉塞状態となる（図１〜図３参照）。
【００４０】
ケース本体２５１は、ほぼ箱形状をしており、電子回路基板２４を収納できるように一方に開口されている。すなわちケース本体２５１は、長方形をした底壁面２５１ａと、その周縁から立ち上がる４つの周壁面２５１ｂとからなり、底壁面２５１ａと、４つの周壁面２５１ｂとで囲繞された空間内に、電子回路基板２４に既述したＲＯＭ，ＣＰＵ，ＲＡＭなどの図示しない各種電子部品が実装されてなる前記制御装置２３０が取り付けられる（図２，図３参照）。
【００４１】
底壁面２５１ａには、制御装置２３０の電子回路基板２４を支持する支持脚２５５が複数形成されている（図３参照）。この実施形態では底壁面２５１ａの少なくとも四隅に支持脚２５５が１本ずつ植設されている。また底壁面２５１ａには、駆動手段であるステッピングモータ２５７も取り付けられる。
【００４２】
基板収納ケース２５をパチンコスロット１０の筐体１１に取り付けたときにおいて、ケース本体２５１の周壁面２５１ｂの上側又は左側に位置する上側壁面２５１ｂ１及び左側壁面２５１ｂ２には、基板収納ケース２５内の空気をケースの内・外で流通させるための通風孔２８ａが多数形成されている（図２参照）。
【００４３】
底壁面２５１ａに設けられるステッピングモータ２５７は、底壁面２５１ａの所定の箇所に固定されるモータ本体２５７ａと、モータ本体２５７ａの一端から突出される回転軸２５７ｂとを有する（図３参照）。
【００４４】
モータ本体２５７ａを底壁面２５１ａの所定の箇所に固定した後、電子回路基板２４を支持脚２５５に載置する。このとき、回転軸２５７ｂが、電子回路基板２４に予め設けてあったモータ通し孔２４１から突出する（図３参照）。突出した回転軸２５７ｂには、回転板２５９が、電子回路基板２４から幾分離された位置で電子回路基板２４に平行に取り付けられている。
【００４５】
回転板２５９は、平面形状で円形をしている。そして、その中心に軸孔２６０を有し、そこにステッピングモータ２５７の回転軸２５７ｂが圧入される（図４参照）。この回転軸２５７ｂを回転中心として、回転板２５９は回転する。
【００４６】
また、回転板２５９は、その軸孔２６０の周囲に複数の貫通孔２５９ａを有する（図４参照）。この実施形態では、貫通孔２５９ａは、前記軸孔２６０から所定半径の円周Ｓ上に等間隔（９０°）で４つ形成されている。貫通孔２５９ａの通る中心線を符号Ｃ１で示
す。この実施形態ではＣ１は２本ある。
【００４７】
さらに、回転板２５９において、貫通孔２５９ａ同士の間は、二点差線で示された４つの帯状のエリア（回転板２５９の一部を構成する面）であり、これらを符号２５９ｂで示す。エリア２５９ｂにあっても、円周方向に等間隔（９０°）で４つ形成されている。エリア２５９ｂを通る中心線を符号Ｃ２で示す。この実施形態ではＣ２は２本ある（図４参照）。
【００４８】
よって、エリア２５９ｂと貫通孔２５９ａとは周方向において４５°ずれて形成されている。貫通孔２５９ａの直径とエリア２５９ｂの幅寸法とはほぼ同じにされている。
【００４９】
さらに回転板２５９は、その周縁のうちエリア２５９ｂの中心線Ｃ２と交叉する箇所に、インデックス２６１が垂下された状態で取り付けられている（図２〜図４及び図７参照）。この実施形態ではインデックス２６１は４つある。インデックス２６１は、回転板２５９の回転位置をインデックス検知センサ（インデックス検知手段）２６３によって検知するためのものであり、インデックス検知センサ（インデックス検知手段）２６３によってインデックス２６１が検知されると、当該検知された時点で回転板２５９が所定の位置にあるということにする。当該所定の位置については後でさらに述べる。
【００５０】
そして、電子回路基板２４のうち、回転板２５９の回転に伴うインデックス２６１の通過軌跡上にインデックス検知センサ２６３が、等間隔で４つ設けられている（図４ａ，図４ｂ参照）。
【００５１】
一方、蓋体２５３は、ケースヒンジ２９を介して、ケース本体２５１に取り付けられている（図２，図６参照）。蓋体２５３には、蓋体２５３でケース本体２５１の開口２５１ｃを閉じたときに、回転板２５９と同軸に位置しかつ回転板２５９とほぼ同一径をした２点鎖線で示す円形の所定領域Ａ２を有する（図２，図３，図５及び図６参照）。所定領域Ａ２は、蓋体２５３のほぼ中央に設けられている。
【００５２】
所定領域Ａ２は、通風孔２５３ａを蓋体２５３に確保するための領域として設けられた仮想円であり、その中心点Ｃから所定半径の円周Ｓ’上には複数の通風孔２５３ａが等間隔（９０°）で形成されている（図５，図６参照）。蓋体２５３の円周Ｓ’と回転板の円周Ｓとは同じ大きさである。また通風孔２５３ａは４つある。通風孔２５３ａの通る中心線を符号Ｃ１ａで示す。この実施形態ではＣ１ａは２本ある。
【００５３】
さらに通風孔２５３ａ同士の間の帯状のエリアを符号２５３ｂで示す（図５参照）。エリア２５３ｂも円周方向に等間隔（９０°）で４つ形成されている。エリア２５３ｂを通る中心線を符号Ｃ２ａで示す。この実施形態ではＣ２ａは２本ある。よって、エリア２５３ｂと通風孔２５３ａとは周方向において４５°ずれて形成されている。通風孔２５３ａの直径とエリア２５３ｂの幅寸法とはほぼ同じにされている。
【００５４】
蓋体２５３が有する所定領域Ａ２の通風孔２５３ａ及び回転板２５９の貫通孔２５９ａは、すべて同じ大きさ（直径）でかつ同じパターンで形成され、蓋体２５３を閉じた時に所定領域Ａ２と回転板２５９とは同軸上に位置するようになっている（図６及び図７参照）。よって、回転板２５９の回転位置によって、貫通孔２５９ａは蓋体２５３の通風孔２５３ａと合致したり、しなかったりする。
【００５５】
よって、蓋体２５３を閉じて回転板２５９を回転すると、回転板２５９の貫通孔２５９ａ及びエリア２５９ｂが、蓋体２５３の通風孔２５３ａ及びエリア２５３ｂと交互に合致することを繰り返す。換言すると、蓋体２５３の通風孔２５３ａは、回転する回転板２５
９の貫通孔２５９ａ及びエリア２５９ｂによって開いたり閉じたりする。
【００５６】
蓋体２５３を閉じた状態において、回転板２５９は、蓋体２５３の内面に当接する程に近接した状態で配置されている。したがって、回転板２５９と蓋体２５３の内面との間は極めて微少な隙間しか存在しないことになる。また、回転板２５９の回転に支障のない程度で回転板２５９を蓋体２５３の内面に当接させてもよい。このようにすると、回転板２５９と蓋体２５３の間には隙間が存在しないことになる。
【００５７】
次にステッピングモータ２５７を駆動制御するステッピングモータ駆動制御システムについて図８及び図９を参照して述べる。
ステッピングモータ２５７は、制御装置２３０から出力されたコマンド信号に基づいて、ステッピングモータ２５７を駆動制御する駆動制御装置２３３によって、その回転量及び回転速度が制御がされる。駆動制御装置２３３も電子回路基板２４に設けられている（図示せず）。なお駆動制御の概念には、ステッピングモータ２５７の駆動と停止の両概念を含む意である。
【００５８】
駆動制御装置２３３は、図９に示すように、ステッピングモータ２５７の回転量及び回転速度などを制御するパルス発振器としてのコントローラ２３３ａと、ステッピングモータ２５７を駆動させるために電源からの電流をモータ駆動電流に変換するドライバ２３３ｂとを有する。
【００５９】
また、ステッピングモータ２５７は、パチンコスロット１０の主電源装置２５８ａ又は副電源装置２５８ｂにより電源が投入されると（図８参照）、当該投入に合わせて制御装置２３０のＣＰＵからスタート信号が発進され、このスタート信号が駆動制御装置２３３のコントローラ２３３ａでパルス信号に変換され、同じくドライバ２３３ｂでモータ駆動電流に変換されて、回転軸２５７ｂが回転する（図９参照）。
【００６０】
主電源装置２５８ａは、制御装置２３０の電子部品やステッピングモータ２５７を作動するために、通常それらに電力を供給する装置である。副電源装置２５８ｂは、主電源装置２５８ａが切れると作動する予備の電源装置である。
【００６１】
副電源装置２５８ｂは蓄電池を内蔵し、瞬間的な電源電圧の低下や停電の際でも、所定の時間、主電源装置２５８ａに代わって電力を供給することが可能である。副電源装置２５８ｂの蓄電池には、主電源装置２５８ａが作動している間、主電源より電気的エネルギーが蓄えられる。
【００６２】
そして、副電源装置２５８ｂは、ホールの閉店に伴い又はゴト行為により主電源装置２５８ａが切られると、電子部品やステッピングモータ２５７に電力を供給する。またインデックス検知センサ２６３にも電力を供給する。インデックス検知センサ２６３に電力が供給されると、インデックス検知センサ２６３から制御装置２３０とが電気的につながる。インデックス検知センサ２６３には主電源装置２５８ａからも電力が供給されるようになっている（図８参照）。
【００６３】
なお、電力の供給にあたっては、既存の電源切替手段が採用されている。電源切替手段自体は周知であるから説明を省略するが、主電源装置２５８ａから基板上の電子部品等に供給される電力が所定電圧以下になった場合に主電源装置２５８ａから副電源装置２５８ｂに電源が自動的に切り替わるものであればよい。但し、この実施形態で副電源装置２５８ｂによりステッピングモータ２５７が作動するのは、僅かの時間である。このことについては後で述べる。
【００６４】
副電源装置２５８ｂから電力が供給されてステッピングモータ２５７が駆動し、その後、インデックス検知センサ２６３によってインデックス２６１が最初に検知されると、インデックス検知センサ２６３から制御装置２３０へその旨を知らせる検知信号が入り、制御装置２３０から駆動制御装置２３３にコマンド信号が流れる。
【００６５】
当該コマンド信号が駆動制御装置２３３に流れたことを契機に駆動制御装置２３３のコントローラ２３３ａからパルス信号の発振が停止するため、ドライバ２３３からのモータ駆動電流がステッピングモータ２５７に流れなくなる。その結果、ステッピングモータ２５７が停止し、ステッピングモータ２５７の回転軸２５７、延いては回転板２５９を前記所定の位置で停止できるようになる。
【００６６】
回転板２５９が所定の位置にあるとき回転板２５９は、その貫通孔２５９ａが蓋体２５３の通風孔２５３ａに対向しない位置に置かれる。換言すると回転板２５９の貫通孔２５９ａが蓋体２５３の所定領域Ａ２におけるエリア２５３ｂと対向するようになる。
【００６７】
次に主電源装置２５８ａから制御装置２３０に電源が供給される場合について述べる。
主電源装置２５８ａから制御装置２３０に電源が供給されると、制御装置２３０のＣＰＵから駆動制御装置２３３を経由してステッピングモータ２５７にモータ駆動電流が送られ、ステッピングモータ２５７を駆動する。主電源装置２５８ａから制御装置２３０に電源が供給されている場合、副電源装置２５８ｂは作動しない。
【００６８】
制御装置２３０は、ホールの開店に伴い主電源装置２５８ａによる主電源が入れられると、スタート信号を駆動制御装置２３３に発し、このスタート信号がコントローラ２３３ａでパルス信号に変換され、同じくドライバ２３３ｂでモータ駆動電流に変換されて、ステッピングモータ２５７を駆動する。
【００６９】
また、ホールの閉店に伴い又はゴト行為により主電源が切られると、ステッピングモータ２５７は一旦停止するものの、すぐに副電源である副電源装置２５８ｂが作動してパチンコスロット１０に電力を供給する。よって、制御装置２３０のＣＰＵからスタート信号が発進され、既述のように駆動制御装置２３３で制御されながらステッピングモータ２５７を駆動する。
【００７０】
そしてステッピングモータ２５７により回転板２５９が回転されたことに伴い、副電源から電力の供給を受けてインデックス検知センサ２６３がインデックス２６１を検知した旨の信号を受けると、回転板２５９が所定の位置にあるとして、駆動制御装置２３３のコントローラ２３３ａからのパルスの発振を停止し、ステッピングモータ２５７を停止する。
【００７１】
当該停止の実行にあたり、制御装置２３０のＲＯＭには、ステッピングモータ２５７の駆動制御を実行するためのプログラムが記憶されている。
【００７２】
詳しくは、インデックス検知センサ２６３が、副電源からの電力の供給を受けた後、最初にインデックス２６１を検知すると、インデックス検知センサ２６３は、制御装置２３０にインデックス検知信号を出力し、このインデックス検知信号を受信した制御装置２３０は、ステッピングモータ２５７により回転される回転板２５９を前記所定の位置で停止させるようにプログラミングされている。また回転板２５９が所定の位置にあることが確認されると、副電源装置２５８ｂが自動的に切れるようにもプログラミングされている。
【００７３】
よって、当該ステッピングモータ２５７の駆動及び停止制御を実行するためのプログラムを記憶するＲＯＭ、延いてはＲＯＭを有する制御装置２３０を回転板停止位置制御手段
ということにする。
【００７４】
なお、インデックス２６１は４つあり、これら全部がインデックス検知センサ２６３によって同時に検知されるようにすることで、回転板２５９が所定の位置で停止する精度を高めることができる。
【００７５】
パチンコスロット１０に係わる遊技制御プログラムその他のプログラムは、実行ファイル形式で制御装置２３０のＲＯＭにインストールされており、本発明に係る実施形態の機能及び処理手順は、当該プログラムが図示しないバスやメモリを介して制御装置２３０に読み込まれることにより実現される。
【００７６】
これらのプログラムは、コンピュータに読み取り可能な記録媒体（例えば、ＲＯＭ（Ｒｅａｄ  Ｏｎｌｙ  Ｍｅｍｏｒｙ）、ＭＯ（Ｍａｇｎｅｔ  Ｏｐｔｉｃａｌ）、ＣＤ（Ｃｏｍｐａｃｔ  Ｄｉｓｋ）、ＦＤ（フレキシブルディスク）  等）に記録させることができる。
【００７７】
次に、図１０に示す遊技機の停止制御に関するフローチャートを参照して、前記所定の位置で回転板が停止するまでを説明する。
ステップ（以下Ｓ）１では、制御装置２３０は、主電源である主電源装置２５８ａがＯＮか否かを判定し、否定判定すればＳ２に進み、肯定判定すればＳ３に進む。
【００７８】
Ｓ２では回転板２５９が所定の位置にある。
Ｓ３では主電源装置２５８ａによりステッピングモータ２５７が駆動する。
【００７９】
Ｓ４では、制御手段２３０が電圧の低下を検出する電源監視手段により、電圧が所定値よりも低下したか否かを判断する。そして、電子回路基板２４の電圧が低下（否定判定）したときはＳ５に進み、正常であれば（肯定判定）Ｓ３に戻る。電子回路基板２４の電圧が低下する場合としては、閉店等で主電源が切断されたときの他に、停電、故障、またはゴト行為によりショートされてしまったような場合が挙げられる。Ｓ４で肯定判定された場合は、主電源装置２５８ａによりステッピングモータ２５７が正常に駆動していることを意味する。
【００８０】
Ｓ５では、閉店等で遊技機を停止するために主電源装置２５８ａをＯＦＦにするのと同時に副電源装置２５８ｂがＯＮにされる。
Ｓ６では、Ｓ５で主電源装置２５８ａがＯＦＦになっても同時に副電源装置２５８ｂがＯＮにされるので、副電源装置２５８ｂによりステッピングモータ２５７が駆動される。
【００８１】
Ｓ７では、回転板２５９が所定の位置にあるか否かを判定し、肯定判定すればＳ８に進み、否定判定する場合はＳ６に戻る。回転板２５９が所定の位置にあれば、ゴト行為が防止される。
【００８２】
Ｓ８ではステッピングモータ２５７を停止する。
Ｓ９では副電源をＯＦＦにし、本ルーチンを終了する。
【００８３】
次に、本実施の形態の作用効果を説明する。
基板収納ケース２５は、そのケース本体２５１及び蓋体２５３にそれぞれ複数の通風孔２８ａ，２５３ａが形成されているので、これらの通風孔２８ａ，２５３ａを介して、外気が基板収納ケース２５内で流通するようになる。したがって、それだけでも電子回路基板２４の電子部品やステッピングモータ２５７から発する熱による基板収納ケース２５内の温度の上昇が抑制される。
【００８４】
加えて、回転板２５９が回転し、当該回転板２５９の貫通孔２５９ａが蓋体２５３の通風孔２５３ａに合うと、蓋体２５３の通風孔２５３ａ経由で基板収納ケース２５内に入った外気は、回転板２５９の貫通孔２５９ａをも経由して基板収納ケース２５の奥にまで流れるようになる。よって、基板収納ケース２５内の温度の上昇を一層抑制できる。
【００８５】
一方、万一、ゴト師が、針金その他の抵抗の小さな導線を、蓋体２５３の通風孔２５３ａに至らしめることができたにせよ、回転板２５９は、回転駆動しているから、回転状態にある回転板２５９に形成されている貫通孔２５９ａを経由させて、針金その他の抵抗の小さな導線を基板収納ケース２５内の回路基板上にまで至らしめることは不可能に近い。よって回路基板上の電気回路の二点間をこれら針金等で接続することにより結線的にショートさせることは極めて難しい。
【００８６】
加えて、回転板２５９は、蓋体２５３の内面に当接又は近接して配置されているから、回転板２５９と蓋体２５３の内面との間には隙間がないか極めて微少な隙間しかないことになる。よって、針金その他の抵抗の小さな導線を、回転板２５９と蓋体２５３の内面との間を通すことは勿論できない。よって、さらにショートさせることはできない。
【００８７】
そして、主電源が切れた場合は副電源が作動して、主電源の代わりに電子部品やステッピングモータ２５７に電力を供給し、副電源から供給される電力によりステッピングモータ２５７、引いては当該ステッピングモータ２５７により回転駆動される回転板２５９を作動するようになっており、回転板停止位置制御手段である制御装置２３０が回転板２５９の停止位置を制御して、蓋体２５３の通風孔２５３ａに対し回転板２５９の貫通孔２５９ａが対向しない所定の位置、すなわち回転板２５９のエリア２５９ｂが、蓋体２５３の通風孔２５３ａに対向する位置で回転板２５９を停止するから、ゴト師が、針金その他の抵抗の小さな導線を、蓋体２５３の通風孔２５３ａに至らしめることができたにせよ、針金等の導線は、回転板２５９のエリア２５９ｂに当たり、それ以上の進行は不可能である。よって、ゴト師によるショートはできない。
【００８８】
また、副電源から電力が供給されてステッピングモータ２５７により回転板２５９が回転されたことに伴って、インデックス検知センサ２６３が、副電源からの電力の供給後、最初にインデックス２６１を検知すると、インデックス検知センサ２６３は、回転板停止位置制御手段である制御装置２３０にインデックス検知信号を出力し、このインデックス検知信号を受信した制御装置２３０は、ステッピングモータ２５７により回転される回転板２５９を前記所定の位置で停止させる。よって、回転板２５９を当該所定の位置で確実に停止させることができる。なお、副電源装置２５８ｂによりステッピングモータ２５７が作動するのは、インデックス検知センサ２６３が、副電源装置２５８ｂからの電力の供給後、最初にインデックス２６１を検知するまでのほんの僅かの時間である。
【００８９】
さらに、蓋体２５３の所定領域Ａ２及び回転板２５９は同一径の円形であるとともに、所定領域Ａ２に形成された４つの通風孔２５３ａが、回転板２５９が有する貫通孔２５９ａと同じ大きさ及び同じ形成パターンであるため、回転板２５９を前記所定の位置に停止させるための回転板２５９の位置調整、換言すればインデックスの割りふりを容易にすることができる。
【００９０】
前記蓋体２５３の所定領域Ａ２に形成された通風孔２５３ａを回転板２５９の貫通孔２５９ａよりも小径にすると、針金や導線が通風孔内に入った場合、それらの動きの自由度は小さくなる。よって、回転板２５９の貫通孔２５９ａへ針金や導線を一層入れ難くなる。
【００９１】
以上述べたように、基板収納ケース２５によれば、基板収納ケース２５に形成されている通風孔２５３ａから針金などの導線を挿入することに起因したゴト行為を有効に防止することができる。
【００９２】
本発明は、上述の図示例にのみ限定されるものではなく、本発明の要旨を逸脱しない範囲内において種々変更を加え得ることは勿論である。例えばこの実施形態ではパチンコスロットに適用した場合を例示したが、パチンコ遊技機その他遊技者が遊技媒体を用いて遊技する遊技機にも適用できるのは勿論である。
また、不正でなく正規に主電源を切った場合でも、回転板２５９が前記所定の位置で停止できるように設定するできるのは勿論である。
【図面の簡単な説明】
【００９３】
【図１】本発明に係るパチンコスロットの外観を示す分解斜視図である。
【図２】基板収納ケースをその蓋体を開いた状態で示す斜視図である。
【図３】図２において蓋体を閉じた状態でのＩＩＩ−ＩＩＩ線拡大断面図である。
【図４】回転板の平面図（ａ）とその側面図（ｂ）を示す図である。
【図５】基板収納ケースの蓋体の平面図である。
【図６】基板収納ケースの蓋体と回転板との位置関係を示す平面図である。
【図７】インデックスとインデックス検知手段との位置関係を示す側面図（ａ）及び仮想平面図（ｂ）である。
【図８】本発明に係るパチンコスロットの制御部のブロック図である。
【図９】ステッピングモータを駆動するシステム構成図である。
【図１０】ケースの通風孔に回転板の貫通孔が対向しない所定の位置で回転板が停止することを説明するためのフローチャートである。
【符号の説明】
【００９４】
１０  パチンコスロット（遊技機）
１１  筐体
１２ａ  上扉
１２ｂ  下扉
１３  表示窓
１４ａ  第１リール
１４ｂ  第２リール
１４ｃ  第３リール
１６  扉ヒンジ
１７  メダル受け皿，配当メダル払い出し口，灰皿その他の収納部
２４  電子回路基板（基板）
２５  （基板収納ケース）
２６  リールユニット
２７  支持枠
２８ａ  ケース本体の通風孔（通風孔）
２９  ケースヒンジ
２３０  制御装置（回転板停止位置制御手段）
２３３  駆動制御装置
２３３ａ  コントローラ
２３３ｂ  ドライバ
２４１  モータ通し孔
２５１  ケース本体
２５１ａ  底壁面
２５１ｂ  周壁面
２５１ｂ１  上側壁面
２５１ｂ２  左側壁面
２５１ｃ  ケース本体の開口
２５３  蓋体
２５３ａ  蓋体の通風孔
２５３ｂ  エリア
２５５  支持脚
２５５ａ  頭部
２５７  ステッピングモータ（駆動手段）
２５７ａ  モータ本体
２５７ｂ  回転軸
２５８ａ  主電源装置（主電源）
２５８ｂ  副電源装置（副電源）
２５９  （回転板）
２５９ａ  貫通孔
２５９ｂ  エリア
２６０  軸孔
２６１  （インデックス）
２６３  インデックス検知センサ（インデックス検知手段）
Ａ２  基板収納ケースの所定領域（所定領域）
Ｓ  回転板の所定の円周
Ｓ’蓋体の所定領域における所定の円周
Ｃ  蓋の所定領域の中心点
Ｃ１  回転板の貫通孔を通る中心線
Ｃ２  回転板のエリアを通る中心線
Ｃ１ａ  蓋の所定領域に形成された通風孔の中心線
Ｃ２ａ  蓋の所定領域に形成されたエリアの中心線
【図１】
2008029526.tif 000003
【図２】
2008029526.tif 000004
【図３】
2008029526.tif 000005
【図４】
2008029526.tif 000006
【図５】
2008029526.tif 000007
【図６】
2008029526.tif 000008
【図７】
2008029526.tif 000009
【図８】
2008029526.tif 000010
【図９】
2008029526.tif 000011
【図１０】
2008029526.tif 000012